(57)【要約】【課題】種々の形状、寸法の軒樋を支持することができる軒樋支持具を提供する。【解決手段】軒樋支持具１は軒樋５を受け支持する帯状の軟質素材よりなるバンド３０を有してなる。本体部１１は前固定部１２と後固定部１３とを備えており、バンド３０は、本体部１１の下側で、前固定部１２、後固定部１３間に連結された状態で、バンド３０と本体部１１との間に軒樋５を挟持、固定する。【選択図】図１
2019210722.tif 000002
【特許請求の範囲】
【請求項１】
前固定部と後固定部とを備えた本体部が建物の外面より突出するように固定される軒樋支持具であって、
軒樋を受け支持する帯状の軟質素材よりなるバンドを有してなり、
前記本体部の下側で、前記バンドが前記前固定部、前記後固定部間に連結された状態で、前記バンドと前記本体部との間に、前記軒樋が挟持、固定される固定構造とされており、
前記バンドの端部の一方には、板材を加工してなる固定部材が取り付けされており、
前記前固定部、前記後固定部のいずれか一方は、前記固定部材が連結される連結部を備えていることを特徴とする軒樋支持具。
【請求項２】
請求項１において、
前記連結部は開口を有してなり、
前記固定部材は、前記バンドが接続されたバンド接続部と、該バンド接続部を、前記開口を通して吊り下げるように前記本体部の上側に配される上板部とを備えていることを特徴とする軒樋支持具。
【請求項３】
請求項２において、
前記固定部材は、前記バンド接続部が前記上板部の端部より折曲されて下方に延び、前記バンド接続部の下端より折曲して延びた下板部をさらに備えて階段状に形成されており、
前記バンド接続部が前記開口に挿通、起立して配された状態で、前記上板部が前記本体部の上側において前記軒樋より遠のくように配される一方、前記下板部が前記本体部の下側に配されて、前記軒樋の耳部が前記下板部の下面に当接するようにして前記軒樋が固定されることを特徴とする軒樋支持具。
【請求項４】
請求項３において、
前記下板部における前記バンド接続部とは反対側の端部には、下方に突出した耳部移動規制片が形成されていることを特徴とする軒樋支持具。
【請求項５】
請求項２において、
前記上板部は、前記バンド接続部の上端より折曲されて前後に延びてなり、
前記上板部が前記本体部の上側に配され、かつ前記バンド接続部が前記開口を通して吊り下げられるようにして、前記軒樋が固定されることを特徴とする軒樋支持具。
【請求項６】
請求項５において、
前記上板部が板材の上部が幅方向の略中央で二股に分離形成されていることを特徴とする軒樋支持具。
【請求項７】
請求項５において、
前記バンド接続部は下端に折り曲げ部を有した重合板よりなり、前記上板部は前記重合板が上部で折曲されて離反するように延びてなることを特徴とする軒樋支持具。
【請求項８】
請求項５〜７のいずれか１項において、
前記上板部と前記バンド接続部とは、上方を向いた矢印の形状をなしており、
前記固定部材は、前記本体部に対し、下方より、前記開口に該矢印の先端から通すことで前記本体部に連結されることを特徴とする軒樋支持具。
【発明の詳細な説明】
【技術分野】
【０００１】
本発明は軒樋支持具に関する。
【背景技術】
【０００２】
従来の軒樋支持具として、軒樋を受け支持する軒樋受け具が知られている（例えば、特許文献１参照）。軒樋受け具は、同文献の図１に示されているように軒樋の外面に添わせるように下方より支持するものであるから、支持用の本体部の形状は軒樋の外面に合致した形状とされる必要がある。
【先行技術文献】
【特許文献】
【０００３】
【特許文献１】特許第６２７７２４４号公報
【発明の概要】
【発明が解決しようとする課題】
【０００４】
しかしながら、近年、軒樋として形状、寸法の異なる多種のものが製造、販売されており、それに対応させるために製造業者は多種の軒樋支持具を製造する必要があった。また、軒樋支持具の製造業者や販売会社は、多種の軒樋に合わせて多種の軒樋支持具について在庫品を準備しておく必要があるが、保管スペースが足らなかったり、在庫管理に多くの工数を要したりするなどの問題が生じていた。
【０００５】
本発明は、このような事情を考慮して提案されたもので、その目的は、種々の形状、寸法の軒樋を支持することができる軒樋支持具を提供することにある。
【課題を解決するための手段】
【０００６】
上記目的を達成するために、請求項１に記載の軒樋支持具は、前固定部と後固定部とを備えた本体部が建物の外面より突出するように固定される軒樋支持具であって、軒樋を受け支持する帯状の軟質素材よりなるバンドを有してなり、前記本体部の下側で、前記バンドが前記前固定部、前記後固定部間に連結された状態で、前記バンドと前記本体部との間に、前記軒樋が挟持、固定される固定構造とされており、前記バンドの端部の一方には、板材を加工してなる固定部材が取り付けされており、前記前固定部、前記後固定部のいずれか一方は、前記固定部材が連結される連結部を備えていることを特徴とする。
【０００７】
請求項２に記載の軒樋支持具は、前記連結部は開口を有してなり、前記固定部材は、前記バンドが接続されたバンド接続部と、該バンド接続部を、前記開口を通して吊り下げるように前記本体部の上側に配される上板部とを備えていることを特徴とする。
【０００８】
請求項３に記載の軒樋支持具は、前記固定部材は、前記バンド接続部が前記上板部の端部より折曲されて下方に延び、前記バンド接続部の下端より折曲して延びた下板部をさらに備えて階段状に形成されており、前記バンド接続部が前記開口に挿通、起立して配された状態で、前記上板部が前記本体部の上側において前記軒樋より遠のくように配される一方、前記下板部が前記本体部の下側に配されて、前記軒樋の耳部が前記下板部の下面に当接するようにして前記軒樋が固定されることを特徴とする。
【０００９】
請求項４に記載の軒樋支持具は、前記下板部における前記バンド接続部とは反対側の端部には、下方に突出した耳部移動規制片が形成されていることを特徴とする。
【００１０】
請求項５に記載の軒樋支持具は、前記上板部は、前記バンド接続部の上端より折曲されて前後に延びてなり、前記上板部が前記本体部の上側に配され、かつ前記バンド接続部が前記開口を通して吊り下げられるようにして、前記軒樋が固定されることを特徴とする。
【００１１】
請求項６に記載の軒樋支持具は、前記上板部が板材の上部が幅方向の略中央で二股に分離形成されていることを特徴とする。
【００１２】
請求項７に記載の軒樋支持具は、前記バンド接続部は下端に折り曲げ部を有した重合板部よりなり、前記上板部は前記重合板部を構成する板が上部で折曲されて離反するように延びてなることを特徴とする。
【００１３】
請求項８に記載の軒樋支持具は、前記上板部と前記バンド接続部とは、上方を向いた矢印の形状をなしており、前記固定部材は、前記本体部に対し、下方より、前記開口に該矢印の先端から通すことで前記本体部に連結されることを特徴とする。
【発明の効果】
【００１４】
請求項１に記載の軒樋支持具は上述した構成とされているため、種々の形状、寸法の軒樋を支持することができる。また、軒樋の形状や寸法に合わせて、前固定部、後固定部のいずれかで、バンドの固定位置を調節することができる。
【００１５】
請求項２に記載の軒樋支持具は上述した構成とされているため、固定部材の一部である上板部を本体部の上側に配して、開口を介して、下部のバンド接続部およびバンドを吊り下げた状態で現場に固定することができる。そのため、現場での軒樋施工を楽に実施することができる。
【００１６】
請求項３に記載の軒樋支持具は上述した構成とされているため、バンドで軒樋をしっかりと固定でるだけでなく、固定された軒樋の耳部で固定部材の下板部を押圧固定できるため、ずれなどが起こりにくい。
【００１７】
請求項４に記載の軒樋支持具は上述した構成とされているため、固定部材の下板部を押圧するように配された軒樋の耳部がずれることを防止することができる。
【００１８】
請求項５に記載の軒樋支持具は上述した構成とされているため、きわめて簡易な構造で固定部材を構成できる。
【００１９】
請求項６に記載の軒樋支持具は上述した構成とされているため、上板部を少ない材料で構成でき、固定部材の省材料化を実現できる。
【００２０】
請求項７に記載の軒樋支持具は上述した構成とされているため、固定部材を頑丈に構成できる。
【００２１】
請求項８に記載の軒樋支持具は上述した構成とされているため、バンドを取り付けた状態の固定部材を本体部に対し簡単に連結することができる。
【図面の簡単な説明】
【００２２】
【図１】本発明の一実施形態に係る軒樋支持具の正面図（取り付け状態の側面図）である。
【図２】同軒樋支持具の本体部（支持具本体）の斜視図である。
【図３】（ａ）は、同軒樋支持具のバンドに取り付けて用いられる固定部材の分解斜視図である。（ｂ）は、バンドに固定部材を連結した状態を示す正面図である。
【図４】（ａ）（ｂ）は、固定部材付きのバンドの本体部への連結手順を示す一部断面正面図である。
【図５】（ａ）（ｂ）は、同軒樋支持具の取り付け態様の２例を示す一部断面正面図である。
【図６】本発明の他の実施形態に係る軒樋支持具の正面図である。
【図７】（ａ）は固定部材の斜視図、（ｂ）（ｃ）は固定部材付きのバンドの本体部への連結手順の２例を示す一部断面正面図である。
【図８】（ａ）（ｂ）は、本発明のさらに他の実施形態に係る２種の軒樋支持具の一部断面正面図である。
【発明を実施するための形態】
【００２３】
以下に、本発明の実施の形態について、添付図面をもとに説明する。まず、以下の複数実施形態に係る軒樋支持具１の共通した基本構成について説明する。なお、本明細書においては、軒樋支持具１が建物の外面３に取り付けられた状態（図１参照）を基準として前後、左右、上下などの方向を規定した。また、図面においては、建物に取り付けられた状態において、その向かって右側より見たものを正面図として図示した。
【００２４】
本軒樋支持具１は、前固定部１２と後固定部１３とを備えた本体部１１が建物の外面３より突出するように固定される軒樋支持具であって、軒樋５を受け支持する帯状の軟質素材よりなるバンド３０を有してなり、本体部１１の下側で、バンド３０が前固定部１２、後固定部１３間に連結された状態で、バンド３０と本体部との間に、軒樋５が挟持、固定される固定構造とされている。バンド３０の端部の一方には、板材を加工してなる固定部材４０、５０が取り付けされており、前固定部１２、後固定部１３のいずれか一方は、固定部材４０、５０が連結される連結部１４を備えている。
【００２５】
以下、詳細に説明する。
【００２６】
本体部１１は、Ｌ字形状に形成された支持具本体１０における、軒樋５を支持するための本体とされる。すなわち、支持具本体１０は、図１に示すように、板体を折曲してなるＬ字形状とされ、長手方向が上下方向を向き建物の外面３に添うように固定される添設部１６と、建物の外面３より前方に略水平となるように突出するように配される本体部１１とを備えて構成されている。
【００２７】
添設部１６には固定片１８があらかじめ結合されている。固定片１８は、図２に示すように、後ろ側に凹部を有した中央基部１８ａと、その両側に配された押さえ部１８ｂとを有した形状とされている。中央基部１８ａの後ろ側の凹部には、添設部１６がその長手方向が上下方向に合致するように配され、中央基部１８ａと添設部１６とがリベット２１で固定されている。なお、固定片１８は、現場へ持ち込む前に支持具本体１０に連結、固定されていることが望ましい。押さえ部１８ｂのそれぞれにはビス、釘などの固定具２２で押さえ部１８ｂを建物の外面３に固定するための固定具挿通孔１８ｃが開設してある。
【００２８】
支持具本体１０の本体部１１は、軒樋５をバンド３０で受け支持した状態でバンド３０を固定するための前固定部１２と後固定部１３とを備えている。前固定部１２は２つのバンド挿通孔１２ａ、１２ｂを有してなり、後固定部１３はバンド３０を連結、固定するための部位で、バンド３０の端部に取り付けられた固定部材４０が着脱自在に連結される連結部１４を有してなる。この連結部１４は開口１４ａを備えてなる。
【００２９】
バンド３０は、例えば、布や合成樹脂、薄板金属材料などの柔軟な材料を帯状または帯板状に加工してなり、一方の端部には固定部材４０が締結具３２で固定され、他方の端部側には、バンド３０の端部の可変な位置を前固定部１２に接続し得る留め具３１が取り付けられている。
【００３０】
このバンド３０は、一方の端部が固定部材４０を介して支持具本体１０の後固定部１３の連結部１４に固定され、本体部１１の下方に配した軒樋５を抱持し受け支持するように巻きつけられて、他方の端部を下方よりバンド挿通孔（後）１２ｂ、バンド挿通孔（前）１２ａに順に通し、さらにバンド挿通孔（前）１２ａから下方に通されたバンド３０の端部を留め具３１に通し、軒樋５を固定支持した状態で支持具本体１０に固定される。こうして軒樋５は、支持具本体１０の本体部１１とバンド３０との間に挟持される。
【００３１】
図１に示すように、軒樋５は、本体部１１の下方において、前耳５ａが前固定部１２のやや後ろ側に配され、後耳５ｂが後固定部１３のやや前側に配された状態で支持される。なお、この軒樋支持具１は前耳５ａ、後耳５ｂが直接的に係止されない構成であるため、耳部のない軒樋５でも支持することができる。
【００３２】
ついで、バンド３０の端部に取り付けられた固定部材４０、５０について説明する。固定部材４０、５０としては、バンド３０が接続されたバンド接続部４４、５２と、バンド接続部４４、５２を、本体部１１の開口１４ａを通して吊り下げるように本体部１１の上側に配される上板部４１、５１とを備えたものとしてもよい。例えば、金属板材などを加工形成したものが用いられ、図１〜図５に示した軒樋支持具１に用いられる固定部材４０や、図６、図７に示した軒樋支持具１に用いられる固定部材５０、図８（ａ）（ｂ）に示した固定部材５０が挙げられる。
【００３３】
図１に示した軒樋支持具１は、図３（ａ）に示した固定部材４０が用いられる。この固定部材４０は、１枚の帯板材を折曲加工してなり、バンド接続部４４が上板部４１の端部より折曲されて下方に延び、バンド接続部４４の下端より折曲して延びた下板部４５をさらに備えて階段状に形成されている。
【００３４】
また、固定部材４０は、本実施形態のもののように、下板部４５におけるバンド接続部４４とは反対側の端部に、下方に突出した耳部移動規制片４６が形成されたものであってもよい。以下、具体的に説明する。
【００３５】
図３に示した固定部材４０では、バンド接続部４４と下板部４５とのなす角度は略９０度とされ、下板部４５を略水平に設置された支持具本体１０の本体部１１の裏面に密着するように配した場合、開口１４ａ内においてバンド接続部は略鉛直に配される。また、上板部４１は先端に向けて下り傾斜した傾斜部４２と、傾斜部４２の先端より延びてなる延出部４３とを備えている。延出部４３は下板部４５と略平行とされる。つまり、傾斜部４２はバンド接続部４４に対し鋭角状に下方に折曲されており、延出部４３は傾斜部４２に対し鈍角状に上方に折曲されている。
【００３６】
この固定部材４０を支持具本体１０に取り付けた場合、図１および図４（ｂ）に示すように、固定部材４０にバンド３０の重量以外の負荷がかからない状態では、下板部４５の上面が本体部１１の下面におおむね面接触し、延出部４３の下面が本体部１１の上面におおむね面接触する。
【００３７】
この固定部材４０のバンド接続部４４には２つのバンド挿通口４４ａが開設されており、その両方の挿通口にバンド３０の端部を通して、図３（ｂ）のようにバンド３０の端部が締結具３２で締結されている。
【００３８】
固定部材４０を取り付けたバンド３０は、その状態で、支持具本体１０に取り付けできる。また、建物の外面３に施工された支持具本体１０に対しても、取り付けることができる。
【００３９】
具体的には、固定部材４０は、図４（ａ）に示すように、延出部４３の先端を開口１４ａに挿入し、その先端を後方に向けるように回転させながら、バンド接続部４４と傾斜部４２との鋭角折曲部４４ｂを開口１４ａに挿入し、バンド接続部４４を開口１４ａ内で起立するように配して取り付けられる。
【００４０】
ようするに、この固定部材４０は、バンド接続部４４が開口１４ａに挿通され、起立して配された状態で、上板部４１が本体部１１の上側において軒樋５より遠のくように配される一方、下板部４５が本体部１１の下側に配されて、軒樋５の耳部（後耳５ｂ）が下板部４５の下面に当接するよう配されて、図１のように軒樋５が固定される。
【００４１】
軒樋５をバンド３０でしっかりと固定すると、軒樋５の後耳５ｂが下板部４５を上方に押圧する。つまり、固定部材４０の下板部４５は支持具本体１０の本体部１１と後耳５ｂとの間に挟着されることとなる。こうして、軒樋５はバンド３０を締めつけることで本体部１１にしっかりと固定されるとともに、それによって固定部材４０は、上方に押圧された軒樋５により強固に固定される。
【００４２】
バンド３０は、軒樋５の後耳５ｂが下板部４５においてバンド接続部４４の近傍に配された状態にあり、かつ軒樋５の後耳５ｂの上方への押圧力とバンド３０の下方への引っ張り力とが均衡している場合に、固定部材４０が図５（ａ）の状態となることが望ましい。
【００４３】
また、軒樋５の後耳５ｂが前方にずれた場合や、軒樋５の寸法によって後耳５ｂがやや前方に配される場合は、図５（ｂ）に示した状態となる。例えば、後耳５ｂが前方にずれた場合には、押圧力と引っ張り力との均衡がくずれ、図５（ｂ）のように、バンド接続部４４が起立状態をおおむね維持しながら下方に移動し、固定部材４０が弾性変形していき、軒樋５の後耳５ｂは下板部４５と耳部移動規制片４６との入隅部を押圧した状態となるとともに、傾斜部４２の下面は本体部１１に面接触した状態となり、固定部材４０は安定した状態となる。
【００４４】
軒樋５の寸法や材料（弾性の程度）などによっては、このように後固定部１３における固定部材４０の形状や配置位置は変動する可能性があるが、図５（ａ）または図５（ｂ）の状態で安定する。換言すれば、この軒樋支持具１によれば、軒樋５の寸法誤差や材料の物性誤差を吸収して、施工状態を安定させることができる。また、後耳５ｂが前方にずれた場合でも、図５（ｂ）の状態で安定するので、その後にずれが発生することを防止できる。
【００４５】
つぎに、図６、図７に示した他の実施形態に係る軒樋支持具１について詳述する。上述したように、本実施形態のものは、固定部材５０が図１のものとは形状、構造が異なる。なお、軒樋支持具１における他の構成については図１のものと同様であるため、それらについては同一の符号を付して、説明は省略する。
【００４６】
本軒樋支持具１に用いられる固定部材５０は、図６に示すように、バンド３０が接続されたバンド接続部５２と、バンド接続部５２を、開口１４ａを通して吊り下げるように本体部１１の上側に配される上板部５１とを備えている。上板部５１はバンド接続部５２の上端より折曲されて前後に延びてなる。上板部５１が本体部１１の上側に配され、かつバンド接続部５２が開口１４ａを介して吊り下げられるようにして軒樋５が固定される。
【００４７】
より具体的には、固定部材５０は、図７（ａ）に示すように、上板部５１が板材の上部側において幅方向の略中央で二股に分離形成され、図６に示すように、２つの分離片が相互に反対方向に折り曲げられて構成されている。
【００４８】
固定部材４０は、例えば図７（ｂ）に示すように、上板部５１とバンド接続部５２とは上方を向いた矢印の形状をなす形状としてもよい。なお、バンド３０はバンド接続部５２の下部に設けたバンド挿通口５２ａに挿通され締結具３２で締結されている。
【００４９】
このような固定部材５０を用いたものでは、図７（ａ）に示すように、固定部材５０を、支持具本体１０の本体部１１に対し、下方より、開口１４ａに矢印の先端を通すことで支持具本体１０に連結すればよい。固定部材５０の上板部５１を開口１４ａより通した後、下方に引き、軒樋５を挟着することで、上板部５１は直線的な状態となる。
【００５０】
なお、このような取り付け方法で取り付けるためには、分離片５１ａの下端間寸法が開口１４ａの幅寸法よりも大とされることが望ましい。そのような固定部材４０の場合、分離片５１ａを開口１４ａに通す際に分離片５１ａはバンド接続部５２に近づくように弾性変形し、開口１４ａを通り抜けると弾性復帰するため、その後、固定部材４０を下方に引っ張れば、図７（ｂ）の２点鎖線で示すように、２枚の分離片５１ａを本体部１１上に広げる（寝かせる）ことができる。
【００５１】
このように上板部５１が弾性を有していれば、上板部５１に弾性復帰力を作用させたまま分離片５１ａを寝かせた状態で維持させるようにしてもよい。そうすることで軒樋５はより強固に挟持され得る。もちろん、上板部５１を塑性変形させて本体部１１の上面に面接触させるように配してもよい
【００５２】
また、図７（ｃ）のように、上板部５１を、離反させず起立させた状態で下方より開口１４ａに通し、上板部５１の全体を通過させてから工具などで分離片５１ａ前後に折り曲げて、本体部１１の上面に面接触させるようにしてもよい。なお、固定部材５０を図７（ｃ）に示したように取り付けるのであれば、開口１４ａは図例のような小さな幅寸法の開口であってもよい。
【００５３】
図７（ｂ）（ｃ）のいずれの取り付け方であっても、バンド３０付きの固定部材４０を簡単に支持具本体１０に取り付けることができる。また、固定部材４０が簡易な形状、構成であるため軒樋支持具１の製造コストを低減化できる。
【００５４】
また、本実施形態で用いられるＴ字状の固定部材５０としては、図８（ａ）（ｂ）に示したように、バンド接続部５２が板材を２枚の板状部を重ねてなる固定部材５０を用いてもよい。
【００５５】
図８（ａ）の固定部材５０は、１枚の板材がＴ字状に折り曲げ形成されている。つまり、バンド接続部５２は下端に折り曲げ部５２ａを有した重合板よりなり、上板部５１は重合板が折曲され、２つの端部片５１ｂが離反するように延びてなる。この固定部材５０は図６、図７に示した固定部材５０よりも強固となり得る。
【００５６】
また、図８（ｂ）の固定部材５０は、２枚のＬ字形状の分離部材５３で構成され、その縦片５３ｂを重ねてバンド接続部５２が構成され、横片５３ａを相互に反対方向に向けて上板部５１が構成されたものとすればよい。縦片５３ｂどうしは固着されていることが望ましいが、分離された状態となっていてもよい。この固定部材は、上記のようにＬ字形状の部材を２つ組み合わせて形成できるので、取り扱いや施工をしやすくできる。
【００５７】
図８（ａ）（ｂ）のいずれの固定部材５０も、バンド接続部５２にはバンド挿通口５２ａが設けてあり、バンド３０はバンド接続部５２のバンド挿通口５２ａに挿通され締結具３２で締結されている。
【００５８】
これらの固定部材５０は、バンド３０を取り付ける前に、本体部１１の開口１４ａに上方より挿通させて取り付け、その後、バンド３０を取り付ければよい。
【００５９】
図６、図８（ａ）（ｂ）に示した３種の固定部材５０によれば、固定部材５０をより簡易な構成とすることができ、軒樋支持具１の製造コストを低減化することができる。
【００６０】
また、以上に示した種々の実施形態のように、後固定部１３に固定部材４０、５０を連結する構成にすれば、固定部材４０を本体部１１の連結部１４に連結した後には、バンド３０の軒樋５の下方をくぐらせるように手前に引いて前固定部１２に取り付けるだけでよく、施工作業を効率的に行える。もちろん、前固定部１２に固定部材４０を配するようにし、後固定部１３に２つのバンド挿通孔を配するようにしてもよい。
【００６１】
以上の実施形態のものでは、バンド３０で軒樋５を下方より抱持、支持するようにしてあるが、より強固に軒樋５を支持し得るように、十分に長いバンド３０を用いて、軒樋５の全周に巻きつけた状態で前固定部１２、留め具３１で固定するようにしてもよい。また、バンド３０の弛みを防止するために、バンド３０の引き抜き（取り外し）ができない留め具３１を用いてもよい。
【符号の説明】
【００６２】
１            軒樋支持具
３            建物の外面
５            軒樋
５ａ          前耳
５ｂ          後耳
１０          支持具本体
１１          本体部
１２          前固定部
１２ａ        バンド挿通孔（前）
１２ｂ        バンド挿通孔（後）
１３          後固定部
１４          連結部
１４ａ        開口
１６          添設部
１８          固定片
１８ａ        中央基部
１８ｂ        押さえ部
１８ｃ        固定具挿通孔
２１          リベット
２２          固定具
３０          バンド
３１          留め具
３２          締結具
４０          固定部材
４１          上板部
４２          傾斜部
４３          延出部
４４          バンド接続部
４４ａ        バンド挿通口
４４ｂ        鋭角折曲部
４５          下板部
４６          耳部移動規制片
５０          固定部材
５１          上板部
５１ａ        分離片
５１ｂ        端部片
５２          バンド接続部
５２ａ        バンド挿通口
５２ｂ        折り曲げ部
５３          分離部材
５３ａ        横片部
５３ｂ        縦片部
【図１】
2019210722.tif 000003
【図２】
2019210722.tif 000004
【図３】
2019210722.tif 000005
【図４】
2019210722.tif 000006
【図５】
2019210722.tif 000007
【図６】
2019210722.tif 000008
【図７】
2019210722.tif 000009
【図８】
2019210722.tif 000010